(57)【要約】【課題】  データ授受を行う無線送受信に於いて、ユーザによる無線機器の使用形態を容易化し、無線通信機能を簡単かつ容易に実現できる無線通信システムを提供する。【解決手段】  ホスト機器（２００）に着脱可能な無線通信カード（１００）において、無線機能処理器（１０７）は無線機器と接続しデータ送受信を行い、カード制御器（１０１）はホスト機器（２００）とのインタフェースを制御し、コマンド制御器（１０２）はホスト機器との制御を行うコマンドを制御し、無線設定管理器（１０４）はホスト機器からのコマンドにより無線通信設定に関する情報を管理し、設定保持器（１０６）は無線設定に関する情報を保持する。【選択図】  図２
2006293497.tif 000002
【特許請求の範囲】
【請求項１】
ホスト機器に着脱可能な無線通信カードにおいて、無線機器と接続しデータ送受信を行う無線機能処理手段と、
ホスト機器とのインタフェースを制御するカード制御手段と、
ホスト機器との制御を行うコマンドを制御するコマンド制御手段と、
ホスト機器からのコマンドにより無線通信設定に関する情報を管理する無線設定管理手段と、
無線設定に関する情報を保持するための設定保持手段とを備え、
前記ホスト機器に前記無線通信カードを装着したときに、当該ホスト機器からの制御により、当該ホスト機器とのインタフェース手段を介して、該当する設定保持手段の状態を確認し、設定情報の設定可否を判定する無線通信カードシステム。
【請求項２】
前記ホスト機器は、
前記無線通信カードとのインタフェースを行うホスト制御手段と、
前記ホスト機器からの制御により無線通信カードの保持する無線通信接続の設定保持の情報を確認するための無線通信カードの管理情報を取得し無線通信の設定情報の有無を判別する情報管理手段と、
判断に基づき無線通信に関する設定情報を無線通信カードに設定制御するためのユーザＩＦ手段とを備え、
前記無線通信カードの装着時に、当該無線通信カードの管理情報を取得し、設定情報の設定有無を判定する請求項１に記載の無線通信カードシステム。
【請求項３】
前記無線通信カードは、
複数のユーザの無線通信カードの利用設定を管理および保持するためのユーザ識別管理手段と、
前記ホスト機器からの制御により無線通信カードの利用ユーザの識別制御に基づき、前記無線通信管理手段から利用するユーザの情報を選択して無線通信処理を行うユーザ識別管理手段とを備え、
前記ホスト機器からの利用ユーザの識別制御に基づき、無線通信処理を行う請求項１に記載の無線通信カードシステム。
【請求項４】
前記ホスト機器は、
前記無線通信カードとユーザ識別情報を管理する手段と、
前記ホスト機器からの制御により前記ユーザ識別情報を前記無線通信カードに通知し、当該無線通信カードの複数のユーザ識別に対応し、無線通信処理を行う請求項１に記載の無線通信カードシステム。
【発明の詳細な説明】
【技術分野】
【０００１】
本発明は、パーソナルコンピュータやデジタルＴＶ、ＤＶＤプレーヤ・レコーダ、オーディオ機器などのＡＶ民生機器の間で、相互にデータ送受信するときに利用する無線による通信カード及び利用するホスト機器に関し、さらに、無線通信カードを用いて各種の機器に対して汎用的に利用するための、無線通信カード及び無線通信カードを用いる無線通信カードシステムに関する。
【背景技術】
【０００２】
近年、パーソナルコンピュータやデジタルＴＶ、ＤＶＤプレーヤ・レコーダ、オーディオ機器などのＡＶ民生機器の間で、相互にデータ送受信するためのネットワーク処理技術の導入が図られている。また、イーサネット（登録商標）に代表される有線ケーブルの接続の形態から、有線ケーブル接続の複雑さ、および煩雑さを軽減或いは解消し、無線ネットワークを介して接続しデータ送受信するための機器間の接続の形態など、機器間連携サービスや利便性の向上を図る技術が開発されている。
【０００３】
従来、パーソナルコンピュータやネットワーク処理技術や無線通信を実施する場合には、無線機能はＰＣカードやＣＦカードに見られるように、ＲＦ無線やＭＡＣ制御に特化する単機能な無線機能の通信カードである。そのため、無線の通信カードを各種の機器で利用する場合にネットワーク処理技術を利用する機器側にて機器リソースに応じて設計および実装することが必要である。それゆえに、無線通信ネットワーク処理への対応が容易にできないという問題がある。
【０００４】
また、従来の技術例において、特願２００１−１５７２９８号公報（特許文献１）に記載されているように、無線カードを利用し多機能化を図る際には、無線カードを用いるホスト側装置で所望のプロトコルスタックを実現して多機能化を図っている。そのために、従来では、ホスト側にて、無線機器接続の都度に、さらに使用モード毎にモードに固有のＩ／Ｏポートを用意して、リソースを確保したり、適応するドライバ、或いはファームウェアの組み込み等の、種々の選択並びに設定操作等を必要とする。そのために、円滑かつ迅速な対応ができないという問題点を挙げて、無線カード側及びホスト機器側の課題解決のための方策をＢｌｕｅｔｏｏｔｈを搭載する無線カードにて提案している。
【特許文献１】特開２００２−３５４０６３号公報
【発明の開示】
【発明が解決しようとする課題】
【０００５】
しかしながら、上述の提案の方策においては、通信カードに必要な無線通信機能を搭載し、多機能化を図っても通信カードと通信カードと通信機器間における無線接続の都度、通信接続に関する設定を実施することを必要とする。それゆえに、無線通信カードを使用する種々のホスト機器においては、無線通信カードを用いる毎に、無線通信接続に関する設定を行う必要があり、無線通信カードを使用するユーザに対して必要な設定を行うために知識を要求する。さらに、ホスト機器側にも無線通信設定のための機能、さらにユーザから機能を受け付けるための機能を付加しなければならない。
【０００６】
また、利用するホスト機器を変更する、或いは、複数のユーザが利用する場合において、利用するユーザ毎に無線通信に関する設定に必要な情報をユーザ毎に設定するための機能を付加しなければならない。よって、本発明は、無線機器を用いてデータ授受を行う無線送受信に於いて、ユーザによる無線機器の使用形態を容易化し、無線通信機能を簡単かつ容易に実現できる無線通信システムを提供することを目的とする。
【課題を解決するための手段】
【０００７】
本発明は、ホスト機器に着脱可能な無線通信カードにおいて、無線機器と接続しデータ送受信を行う無線機能処理手段と、
前記ホスト機器とのインタフェースを制御するカード制御手段と、
前記ホスト機器との制御を行うコマンドを制御するコマンド制御手段と、
前記ホスト機器からのコマンドにより無線通信設定に関する情報を管理する無線設定管理手段と、
無線設定に関する情報を保持するための設定保持手段とを備え、
前記ホスト機器に前記無線通信カードを装着したときに、当該ホスト機器からの制御により、当該ホスト機器とのインタフェース手段を介して、該当する設定保持手段の状態を確認し、設定情報の設定可否を判定する無線通信カードシステムである。
【発明の効果】
【０００８】
以上のように本発明によれば、ホスト機器に無線通信カードを装着したときに、ホスト機器側からの制御により、ホスト機器とのインタフェースを行うホスト制御手段を介して、該当する設定保持手段の状態を確認し、設定情報の設定可否を判定できる。
また、無線通信カードの装着時に無線通信カードの管理情報を取得し、設定情報の設定有無を判定できる。さらに、ホスト機器からの利用ユーザの識別制御に基づき、無線通信処理を行える。なお、さらに、無線通信カードの複数のユーザ識別に対応し、無線通信処理を行える。そして、無線通信カードのユーザが他のホスト機器に無線通信カードを利用するために無線通信の設定要求を行うことなく、利用できる。
【発明を実施するための最良の形態】
【０００９】
以下に、図１、図２、図３、および図４を参照して、本発明の実施の形態に係る無線通信カードシステムについて説明する。先ず、図１に、本発明の実施の形態に係る無線通信カードと無線通信カードを装着するホスト機器の構成を示す。なお、無線通信機能を搭載するカードとしては、無線ＬＡＮを想定して例にあげ、無線通信カードをホスト機器に装着し、無線通信可能状態に必要な無線設定情報のデータ授受および管理について説明する。
【００１０】
図１において、符号１００は、ホスト機器に着脱可能な無線通信カードを示す。符号２００は、無線通信カード１００を装着することにより無線通信機能を利用するための無線通信カードの着脱可能なホスト機器を示す。符号３００は、無線通信カードと無線通信カード１００を装着することにより無線通信機能を具備したホスト機器２００と無線接続するための無線アクセスポイントを示す。
【００１１】
図２に、前記無線通信カード１００とホスト機器２００の詳細の構成を示す。まず、前記無線通信カード１００について説明する。符号１０１はホスト機器２００とのインタフェースを制御するカード制御器を示し、符号１０２はホスト機器２００の無線通信カード１００との制御を行うコマンドを制御するコマンド制御器を示し、符号１０３は無線通信カード１００の内部制御を行うシステム制御器を示し、符号１０４は無線通信カード１００とのコマンド制御により無線通信設定に関する情報を管理する無線設定管理器を示し、符号１０５は無線通信カード１００とのコマンド制御によりユーザ識別を受け無線設定に関する情報を識別するユーザ識別管理器を示し、符号１０６は、無線設定に関する情報を保持するための設定保持器を示し、符号１０７は無線通信処理器を示す。
【００１２】
次に、無線通信カード１００を装着するホスト機器２００について説明する。符号２０１は無線通信カード１００とのインタフェースを制御するホスト制御器を示し、符号２０２は無線通信カード１００との制御を行うコマンドを制御するコマンド制御器を示し、符号２０３はホスト機器２００の内部制御を行うシステム制御器を示し、符号２０４はホスト機器からの制御により無線通信カードの保持する無線通信接続の設定保持の情報を確認するための無線通信カードの管理情報を取得し無線通信の設定情報の有無を判別する情報管理器を示し、符号２０５は判断器２０２に基づき無線通信に関する設定情報を無線通信カードに設定制御するためのユーザＩＦを示す。
【００１３】
無線アクセスポイント３００（図１）との接続には、無線通信の接続のために設定情報が必要となる。設定情報は、無線ＬＡＮの場合、ＥＳＳＩＤ、ＷＥＰなどの設定情報である。
【００１４】
上述のように構成された通信機能を搭載する無線通信カード１００と無線通信カード１００を装着可能なホスト機器２００と無線アクセスポイント３００との通信を含む無線通信システムの動作について説明する。ホスト機器２００に、無線通信カード１００を装着する。ホスト機器２００は、ホスト制御器２０１を介して無線通信カード１００の装着を検知し、システム制御器２０３に通知する。システム制御器２０３は、コマンド制御器２０２を介して、無線通信カード１００に対して無線設定の確認を要求する。無線通信カード１００は、ホスト機器２００からのコマンドを受けたとき、カード制御器１０１を介してコマンド制御器１０２で要求を受け付け、システム制御器１０３において、該当する無線設定の情報の有無を無線設定管理器１０４に要求し、無線設定管理器１０４は設定保持器１０６で保持する情報を確認する。
【００１５】
図３に示すフローチャートを参照して、無線通信カード１００とホスト機器２００における処理について説明する。
先ず、ステップＳ１において、ホスト機器２００に１が装着される。
そして、ステップＳ２において、無線通信カード１００に対して無線設定情報が問い合わされる。
ステップＳ３において、無線通信カード１００に対して無線設定情報の有無が判断される。無線通信カード１００に無線設定に必要な情報が存在すれば、Ｙｅｓと判断されて、制御はステップＳ５に進む。
ステップＳ５において、無線設定情報はホスト機器２００に対して通知される。この無線設定情報に基づいて、無線通信カード１００は、ホスト機器２００からの要求に対して無線アクセスポイント３００との無線接続制御を行うことができる。
一方、無線通信カード１００に無線設定に必要な情報がない場合には、ステップＳ３において、Ｎｏと判断されて、制御はステップＳ４に進む。
ステップＳ４において、無線設定に必要な情報がないことがホスト機器２００に対して通知される。この場合、ユーザＩＦ２０５を持ったホスト機器２００からの無線接続に関する設定を設定することができる。そして、制御は上述のステップＳ５に進む。
【００１６】
この一連の動作により、図１に示すように、無線通信カード１００を使用する場合、他のホスト機器に対しても無線通信カード１００に保持した無線設定での無線アクセスポイント３００との無線通信制御が可能となり、ユーザによる無線設定の知識の要求、無線通信毎に必要な設定を軽減することができる。
【００１７】
次に、図４に示すフローチャートを参照して、ホスト機器２００から無線通信カード１００に対するユーザ識別を含めたコマンドにより制御する動作について説明する。ステップＳ１１において、ホスト機器２００に、無線通信カード１００が装着される。ホスト機器２００は、ホスト制御器１０１を介して無線通信カード１００の装着を検知し、システム制御器１０１に通知する。システム制御器１０３は、コマンド制御器２０２を介して、無線通信カード１００に対してユーザ識別を要求する。そして、制御は次のステップＳ１２に進む。
ステップＳ１２において、無線通信カード１００は、ホスト機器側のコマンドに応答して、カード制御器１０１を介してコマンド制御器１０２で要求を受け付け、システム制御器１０３によって、該当するユーザ識別をユーザ識別器１０５に通知する。該当するユーザ識別とともに、無線設定の情報の有無を無線設定管理器１０４に要求し、前記無線設定管理器１０４は、設定保持器１０６で保持する情報を確認する。
【００１８】
ステップＳ１３において、無線通信カード１００に該当するユーザ識別に選定された無線設定に必要な情報の有無が判断される。当該情報が存在すれば、Ｙｅｓと判断されて、ホスト機器２００に対して通知される。そして、制御は次のステップＳ１５に進む。
ステップＳ１５において、この情報に基づいて、無線通信カード１００は、ホスト機器２００からの要求に対して無線アクセスポイント３００との無線接続制御を行うことができる。
また、無線通信カード１００にユーザ識別に該当する無線設定に必要な情報がない場合、ステップＳ１３において、Ｎｏと判断されて、ホスト機器に対して通知される。そして、制御はステップＳ１４に進む。
ステップＳ１４において、ユーザＩＦ２０５を持ったホスト機器２００からの無線接続に関する設定を設定することができる。
【００１９】
この一連の動作により、他のホスト機器に対しても無線通信カード１００に保持した無線設定での通信制御が可能となり、ホスト機器からのユーザ識別に基づき、該当するユーザによる無線設定の知識の要求、無線通信毎に必要な設定を軽減することができる。
【００２０】
上述のように、本発明においては、無線通信カードと無線通信カードと接続する無線機器、及び無線通信カードと無線通信カードを使用するホスト側のシステム機器間において連携動作することにより、無線通信カードに搭載している多機能化した場合にも動作することを実現しかつ無線通信カードを使用するユーザに対して設定する項目を軽減し、ホスト機器の機能軽減ができる。
【００２１】
具体的には、無線通信カードには、無線通信プロトコル処理及びＴＣＰ／ＩＰなどの通信処理を搭載し、ネット処理機能を付加した多機能化をはかり、無線通信に関する通信設定を行うために、無線通信カードと接続する無線機器との接続に関する情報をホスト機器から設定するための機能を付加したものであり、また、無線通信に関する無線機器との接続に関する情報を保持する機能を無線通信カードに付加されている。
【００２２】
無線通信カードに無線通信接続に関する情報を予め設定でき、かつ保持できる機能を付加するものである。また、ホスト側機器は、既に設定される情報を参照することで、ユーザによる設定を不要にし、無線通信カードを装着するのみで無線接続を可能にするものである。
そこで、無線通信カードに無線通信接続に関する情報を予め設定でき、かつ保持できる機能を付加するものである。また、ホスト側機器は、既に設定される情報を参照することで、ユーザによる設定を不要にし、無線通信カードを装着するのみで無線接続が可能である。
【００２３】
本発明は、ホスト機器に着脱可能な無線通信カードにおいて、無線機器と接続しデータ送受信を行う無線機能処理手段と、ホスト機器とのインタフェースを制御するカード制御手段と、ホスト機器との制御を行うコマンドを制御するコマンド制御手段と、ホスト機器からのコマンドにより無線通信設定に関する情報を管理する無線設定管理手段と、無線設定に関する情報を保持するための設定保持手段とで構成され、ホスト機器に無線通信カードを装着したときに、ホスト機器側からの制御により、ホスト機器とのインタフェースを行うホスト制御手段を介して、該当する設定保持手段の状態を確認し、設定情報の設定可否を判定することが可能である。
【００２４】
また、本発明は、無線通信カードと装着するホスト機器において、無線通信カードとのインタフェースを行うホスト制御手段と、ホスト機器からの制御により無線通信カードの保持する無線通信接続の設定保持の情報を確認するための無線通信カードの管理情報を取得し無線通信の設定情報の有無を判別する判断手段と、判断手段に基づき無線通信に関する設定情報を無線通信カードに設定制御するためのユーザＩＦとを具備し、無線通信カードの装着時に無線通信カードの管理情報を取得し、設定情報の設定有無を判定することが可能である。
【００２５】
また、本発明は、無線通信カードにおいて、複数のユーザの無線通信カードの利用設定を管理・保持するための無線通信管理手段と、ホスト機器からの制御により無線通信カードの利用ユーザの識別制御に基づき、無線通信管理手段から利用するユーザの情報を選択して無線通信処理を行うユーザ識別管理手段とを具備し、ホスト機器からの利用ユーザの識別制御に基づき、無線通信処理を行うことが可能である。
【００２６】
また、本発明は、無線通信カードと装着するホスト機器において、無線通信カードとユーザ識別情報を管理する手段と、ホスト機器からの制御によりユーザ識別情報を無線通信カードに通知し、無線通信カードの複数のユーザ識別に対応し、無線通信処理を行うことが可能である。
【産業上の利用可能性】
【００２７】
本発明は、パーソナルコンピュータやＡＶ民生機器等の間での無線通信システムに適用できる。
【図面の簡単な説明】
【００２８】
【図１】本発明の実施の形態に係る無線通信カードシステムを示す説明図
【図２】図１に示した無線通信カードおよびホスト機器の構成を示すブロック図
【図３】図２に示した無線通信カードおよびホスト機器による処理を表すフローチャート
【図４】図２に示した無線通信カードおよびホスト機器によるさらなる処理を表すフローチャート
【符号の説明】
【００２９】
１００  無線通信カード
１０１  カード制御器
１０２  コマンド制御器
１０３  システム制御器
１０４  ユーザ識別器
１０５  設定保持器
２００  ホスト機器
２０１  ホスト制御器
２０２  コマンド制御器
２０３  システム制御器
２０４  情報管理判断器
２０５  ユーザＩＦ
３００  無線アクセスポイント
【図１】
2006293497.tif 000003
【図２】
2006293497.tif 000004
【図３】
2006293497.tif 000005
【図４】
2006293497.tif 000006